(57)【要約】【課題】手に持った用具が振動することでその用具の作用を高める用具はたくさん存在する。例えば電動マッサージ器、電動歯ブラシ、電動食器摺洗具、電動頭皮用ブラシなどがある。これらの専用用具は内部に振動機構を備える必要があり、振動装置とそれぞれの使途の用具を組み合わせているためにその単体の価格は高コストになる。また、用具特有の大きさや形状により振動機構を取り入れることが難しい場合がある。【解決手段】本発明のハンドバイブレーターは電動で振動する振動装置と手に取り付けるための装着部を主な構成要素としており、装着部は振動装置から下方に延びた軸から左右に平板が伸びたものである。前記軸を２本の指の股に配置することで平板と軸および振動装置に２本の指が囲まれて振動装置が手の甲側にしっかりと配置される。指が可動する領域が大きいため手に持つ様々な用具に振動を加えて使用できる。【選択図】図１
2015054171.tif 000002
【特許請求の範囲】
【請求項１】
電動の振動機構を有する振動装置と前記振動装置の下方に装着部を有しているハンドバイブレーターで、前記ハンドバイブレーターを手に装着する際に前記装着部は２本乃至４本の指の下側を支持して振動装置が手の甲側に配置されることを特徴とするハンドバイブレーター。
【請求項２】
前記装着部が前記振動装置の下部から下方に延びる軸部と前記軸部から連続しつつ左右に伸びる水平部を有するハンドバイブレーターであって、前記ハンドバイブレーターを装着する際に隣接する２本の指の第二関節と第三関節の間で前記軸部を挟み、前記水平部が少なくとも前記２本の指の下側を支持し、前記２本の指の上側に前記振動装置が位置することを特徴とする請求項１に記載のハンドバイブレーター。
【請求項３】
電動の振動機構を有するバイブレーターを手に取り付けることのできるハンドバイブレーター連結具であって、前記ハンドバイブレーター連結具はバイブレーター支持部と装着部で構成されており、前記バイブレーター支持部は前記バイブレーターを支持することができ、前記装着部は前記バイブレーター支持部の下方に位置しており、前記装着部により前記ハンドバイブレーター連結具を手に取り付けることのでき、前記バイブレーターが手の甲側に配置される特徴とするハンドバイブレーター用連結具。
【請求項４】
請求項３に記載のハンドバイブレーター連結具を手に装着する際に前記装着部は２本乃至４本の指の下側を支持することを特徴とする請求項３に記載のハンドバイブレーター用連結具。
【請求項５】
可撓性を有する素材でできた請求項３または請求項４に記載のハンドバイブレーター連結具であって、前記バイブレーター支持部は内側にバイブレーターを挟持することのできるサイズの空間を有しており、前記バイブレーターを囲む前記バイブレーター支持部の両側から連続して下方に延びつつお互いが近づいた２つの軸部を有しており、前記軸部からそれぞれ左右外側に分かれる水平部を有しており、前記ハンドバイブレーター連結具を装着する際に隣接する２本の指の第二関節と第三関節の間で前記軸部を挟み、前記水平部が少なくとも前記２本の指の下側を支持し、前記２本の指の上側に前記バイブレーター支持部が位置することを特徴とする請求項３または請求項４に記載のハンドバイブレーター用連結具。
【発明の詳細な説明】
【技術分野】
【０００１】
本発明は、手及び手で握った用具を振動させるために手に取り付けることのできるハンドバイブレーターおよびハンドバイブレーター用連結具である。
【背景技術】
【０００２】
従来より、用具そのものが振動することによりその作用を高めるものはたくさん存在する。例えば、歯ブラシ本体に振動モーターを内蔵してブラシ部を振動させてブラッシングの効果をあげる電動ハブラシ（例えば特許文献１）があり、市場にも大きく流通している。
電動歯ブラシの振動部分とブラシ部分が独立しており、ブラシ部分を交換することで、ブラシ劣化時の交換や家族でブラシ部分だけを別にして振動部分を共用して使用することができるものもある。
【０００３】
浴槽や便器を洗浄するに際してブラシの柄に振動モーターを内臓して摺洗効果をあげる洗浄ブラシ装置（例えば特許文献２）があった。
【０００４】
マッサージを行う器具として患部接触部分が振動するように振動モーターを内蔵してマッサージを行うマッサージ器具（例えば非特許文献１）はたくさん市場に流通している。
【０００５】
手を使ってマッサージする際に指先を振動させることによりマッサージ効果をあげるため各指先前面に小型のバイブレーターを配置できる手袋タイプのマッサージ器具（例えば特許文献３）があった。また、手袋の上部に振動装置を設けて指先で施術することのできるハンドマッサージ機（例えば特許文献４）があった。
また、手に納まる飛行機形状の振動型マッサージ機であって、翼部分に指をかけることにより手に固定してマッサージ機を直接患部に当てたり指を当てることにより施術する電動式マッサージ器（例えば特許文献５）があった。
また、指輪の上部に振動装置を取り付けて振動する手でマッサージを行なう振動式指輪（例えば特許文献６）があった。
【０００６】
頭皮用マッサージブラシにおいて、内部に振動発生装置を設けることにより頭皮の洗浄ならびにマッサージを振動しながら行うマッサージ器具（例えば特許文献７）があった。
【先行技術文献】
【特許文献】
【０００７】
【特許文献１】特開平６−２６９３１７
【特許文献２】特開２００３−１０２５５０
【特許文献３】特開２０１３−１１６３０１
【特許文献４】特開平９−１０３４５８
【特許文献５】特許４８８８６０６
【特許文献６】特開平９−２７６０１２
【特許文献７】特開２００８−１１９０１６
【非特許文献】
【０００８】
【非特許文献１】実開昭５５−１０６７７
【発明の概要】
【発明が解決しようとする課題】
【０００９】
手に持った用具が振動することによりその用具の作用を高める用具はその使途毎に物品が存在している。例えば電動マッサージ器、電動歯ブラシ、電動食器摺洗具、電動頭皮用ブラシなどそれぞれに振動機構が設けられている。これらの専用用具は内部に振動機構を備える必要があり、その振動機構とそれぞれの使途の用具を組み合わせているためにその単体の価格は高コストになる。また、用具特有の大きさや形状により振動機構を取り入れることが難しい場合があり、開発や専用部品が高コストになる要因の一つでもある。
【００１０】
本発明を説明するに際して便宜上以下の用語を定義する。手に持った用具が振動することによりその用具の作用を高める用具（例えば電動マッサージ器、電動歯ブラシ、電動食器摺洗具、電動頭皮用ブラシなど）を「振動効果用具」と称する。また、「振動効果用具」の振動装置を内蔵しない元の用具（例えばつぼ押し用具、歯ブラシ、食器摺洗具、頭皮用ブラシなど）を「非振動用具」と称する。
【００１１】
本発明が解決しようとする課題は非振動用具に振動装置を設けて振動効果用具とするのではなく、手自体を振動させて手で握った非振動用具を振動させてその用具の作用を高めることである。手自体を振動させるために、振動装置を手に取り付けることのできる器具であるハンドバイブレーターを実現することであり、また１つのハンドバイブレーターで複数の非振動用具を使用できるようにすることである。
【００１２】
１つのハンドバイブレーターで複数の非振動用具を扱うためには、指がほぼ自由に動き片手で非振動用具を使用できる状態にしなくてはならないという課題がある。また、非振動用具を効果的に振動させるに十分な強さを確保しなくてはならないという課題もある。
また、衛生的な状態を保ちやすくしなくてはならないという課題もある。また、使いやすくするために着脱が容易であることも課題であり、更に１つのサイズで手の大きさに左右されず殆どすべての人が使用できることが望ましい。
これらのことを低コストで実現することも課題の１つである。
【００１３】
手袋式のマッサージ機（例えば特許文献３）は各指先に振動装置が設けられているが、これを装着して非振動用具を扱う場合には指先の振動装置が指の動きを邪魔して、例えば歯ブラシや爪やすりの使用など細かい指先使いが必要なものには使用できない。また、手袋は汗がついて不衛生になりやすく、様々なものに使うには使用上抵抗がある。更に、手への着脱が容易ではない。
【００１４】
手袋式のマッサージ機（例えば特許文献４）は手袋の上部に振動装置を設けておりこの機構でも手を振動させることができる。しかし着脱に手間がかかる。また、手袋を構成する素材は手を出し入れすることから伸縮素材であることが要求され伸縮素材を介して手の甲に位置された振動装置の振動は指先に伝わるに際して振動の劣化が起こるという問題もある。更に手のサイズにあった手袋が必要なため多くの人の装着を満足させるためには複数のサイズが必要となる。また、手からの汗で不衛生になりやすく洗浄の必要があるが、特許文献３では振動装置と手袋の着脱は記載されておらず、容易に洗浄ができない。手袋は基本的に個人のものになりやすく他者と共有することが難しい。
【００１５】
特許文献５に記載の電動式マッサージ器は手を振動させることができるが、指を自由にうごかすことができないため非振動用具を扱うことができず、マッサージ器の機能としてしか使用することができない。
【００１６】
指輪の上に振動装置がついている主としてマッサージに使用する振動式指輪（例えば特許文献６）は、手のひら指を自由に使用することはできるが指１本で支えるため振動装置が指の上で揺れ動き、十分な振動が手に伝わることができない。また、細い指輪だけで大きな振動装置を支えることは指にストレスがかかり指に跡が付いたり内出血を起こす恐れもある。また、指のサイズは人により大きく異なるため、１つのサイズで多くのユーザーに対応することができない。
【００１７】
現状、マッサージ・健康器具としてバイブレーターが数多く流通している。多くは円筒形状のものであり先端を患部等に当てて人体の一部に振動を与えるものである。沢山流通しているために次第に安価になってきている。また、小型で振動能力の高いバイブレーターも流通している。
既存のバイブレーターを振動装置として手に着脱することでハンドバイブレーターにすることのできるアタッチメントがあれば開発や製造が簡素化され、結果低コストで非振動用具を振動効果用具として使用することができる。
【課題を解決するための手段】
【００１８】
ハンドバイブレーターは振動装置を有しており、ハンドバイブレーターを手に装着し、歯ブラシなど非振動用具を持つ手が振動することにより非振動用具が手を介して振動してその用具の作用を高める。
【００１９】
ハンドバイブレーターは偏心機構等による振動モーターを振動源とする振動装置と手に取り付けるための装着部を主として有しており、装着部は振動装置から下方に延びた軸から左右に平板が伸びたものである。前記軸を２本の指の股に配置することにより平板と軸および振動装置に２本の指が囲まれて振動装置が手の甲側にしっかりと配置される。このとき、指先は振動装置および装着部に殆ど指の動きの制限を受けることがなく、指が自由に可動する領域が大きいため歯ブラシなどの非振動用具を容易に操作することができる。また、非振動用具を使わず振動装置で指を振動させてマッサージなど指の振動を肉体に伝えることもできる。また、ハンドバイブレーターの手への着脱は極めて容易である。
【００２０】
ハンドバイブレーターを装着し手で非振動用具（例えば歯ブラシ）を握った際、振動装置の振動が手に伝わり、手から非振動用具（例えば歯ブラシ）に振動が伝わり、非振動用具（例えば歯ブラシ）は振動して、その用具効果を向上させることができる。
更に、非振動用具（例えば歯ブラシ）は振動装置から連続した下部の一部と接触することができることで、振動装置の振動を非振動用具（例えば歯ブラシ）に直接伝達することができるため、振動の損失を少なくした状態で非振動用具を振動効果用具として使用することができる。
【００２１】
ハンドバイブレーターを手に取り付けるための装着部はいくつかの形状があり、前記の形状に限らない。２本以上の指を通して手のひら側と手の甲側で手を挟むこと、及び指を囲む部分の一部が開放することによってサイズ調整作用を持たせ１つのサイズで色んな大きさの手の人が使用することができる。
【００２２】
ハンドバイブレーターは前述のとおり振動装置と装着部で構成されているが、振動装置として一般的に流通しているバイブレーターを用いそのバイブレーターに手への装着部を取り付けることでハンドバイブレーターとして使用することもできる。即ち、バイブレーターに装着部が着脱できるということである。この場合、バイブレーターはバイブレーターの本来の使途で用いることができるとともに、装着部を介してバイブレーターを手にとりつけてハンドバイブレーターとして非振動用具を手に持ち、その用具の効果を高めて使用することができる。
【発明の効果】
【００２３】
本発明であるハンドバイブレーターが１つあれば、複数の非振動用具（歯ブラシや摺洗具など）を振動させて使用することもでき、結果として使用者は低コストで複数の振動効果用具を低コスト・省スペースで使用することができる。
【００２４】
本発明であるハンドバイブレーターはサイズフリーであることと機構が簡素で衛生を保ちやすいことから他者との共有も行いやすい。例えば電動歯ブラシは口腔に使用することから家族個々人が別に所有する性質のものであるが、ハンドバイブレーターは手に取り付けるものなので家族で１つあれば、家族個々人の歯ブラシを各々が用いてハンドバイブレーターにて歯ブラシを振動させて使用することができるため、家族個々人用の電動歯ブラシを購入する必要がなくユーザーにとって低コストで使用できるというメリットがある。
【００２５】
本発明であるハンドバイブレーター連結具は既に流通している小型で強力な電動マッサージ器を手の甲側に配置することのできる、手と電動マッサージ器の連結器具である。既に量産され廉価になっている電動マッサージ器を振動源として利用することにより、低コストで手を振動させる装置を作ることができる。
【図面の簡単な説明】
【００２６】
【図１】本発明であるハンドバイブレーターの第１実施形態の斜視図・正面図・平面図・左側面図である。
【図２】本発明であるハンドバイブレーターの第１実施形態の使用状態を表す斜視図である。
【図３】本発明であるハンドバイブレーターの第２実施形態の斜視図・正面図・平面図・左側面図である。
【図４】本発明であるハンドバイブレーター用連結具の第１実施形態の斜視図・正面図・平面図・左側面図である。
【図５】本発明であるハンドバイブレーター用連結具の第１実施形態にバイブレーターを取付ける状態を表す斜視図である。
【図６】本発明であるハンドバイブレーター用連結具の第２実施形態の斜視図である。
【図７】本発明であるハンドバイブレーター用連結具の第２実施形態の使用状態を表す斜視図である。
【図８】本発明であるハンドバイブレーターの第１実施形態を使用する際、非振動用具の使用方法の違いを表す正面図である。
【図９】本発明であるハンドバイブレーター用連結具の第３実施形態の斜視図である。
【図１０】本発明であるハンドバイブレーター用連結具の第４実施形態の斜視図である。
【発明を実施するための形態】
【００２７】
（ハンドバイブレーターの第１実施形態）
図１に示す本発明であるハンドバイブレーター１０aは大きく２つの部分で構成されている。１つは振動装置２０aであり、もう一つは装着部３０ａである。振動装置２０ａは内部に振動モーターによる振動機構を有しており、電源を入れると小刻みな振動を発生する。装着部３０aは振動装置２０aの下部に配置されている。装着部３０ａは振動装置２０ａの下部より下方に延びる軸部３１ａと軸部３１ａから左右に延びる水平部３２ａで構成されている。軸部３１ａと水平部３２ａは弧を描きながら連続している。これは装着した際に指に違和感のないようにするためである。水平部３２ａの幅は使用する指の第二関節から第三関節までの長さより短い。これは後述する装着の際の妨げにならないためである。
図２（Ａ）および図２（Ｂ）は本発明であるハンドバイブレーター１０aの使用状態を示している。図２に示すとおり隣接する２本の指（図の場合人差し指と中指）の第２関節と第３関節の間で軸部３１ａを挟み込むとともに水平部３２ａの上側の面が指の下側（腹側）に接している。指の上部に位置する振動装置２０ａ／指の横側に位置する軸部３１ａ／指の下側に位置する水平部３２ａが隣接する２本の指それぞれの３方向を囲み密着することでハンドバイブレーター１０ａは手にしっかり装着され指に力を入れなくとも落ちることが無い。例えば、ハンドバイブレーター１０ａを装着した状態で腕から指先まで脱力して指先を地面方向に伸ばした状態であってもハンドバイブレーター１０ａは手から落ちることは無い。
ハンドバイブレーター１０ａの装着時、全ての指は殆ど自由に動き、非振動用具を手のひら・指先で操作する際に障害にならない。
尚、軸部３１ａを挟む指は人差し指と中指、中指と薬指、薬指と小指のどの組合せでもよい。
また、軸部３１ａと水平部３２ａは弧を描きながら連続している方が指に密着しやすいが、弧を描かずに例えば直行していても機能する。
また、図１では振動装置２０ａから下方に延びる軸部３１ａは左右隣接する指用に共用できるよう１つにしているが、軸部３１ａがそれぞれの指用に２つに分けても良い。
また、水平部３２ａは複数の指の下側に位置するように長くても良く、２つの水平部３２ａは長さが異なっても良い。
【００２８】
（振動伝達）
ハンドバイブレーター１０ａ装着時に手の甲側に位置する振動装置２０ａの振動を非振動用具に伝える経路は２つある。
１つ目は振動装置２０ａが発生する振動により振動装置２０ａと水平部３２ａに挟まれている手が振動し、手で持たれている非振動用具に振動が伝達する経路である。
２つ目は振動装置２０ａが発生する振動により手および水平部３２ａが振動し、手の振動が非振動用具に伝達する経路に加え、水平部３２ａとの接触を通して非振動用具に振動が伝達する経路である。
１つ目の経路の場合、柔軟性に富んだ手への振動の伝達は振動源の振動を手の柔軟性が吸収してしまい、振動源の振動が弱まった状態での伝達になる。
図８（Ｂ）は１つ目の経路をあらわしている。非振動体として歯ブラシ９１を使用する状態を表している。振動装置２０ａの振動は手に伝わり、手の振動が歯ブラシ９１へ伝わる。
図８（Ａ）は２つ目の経路をあらわしている。２つ目の経路の場合、非振動用具が振動源と連続している水平部３２ａと接触しているため、振動装置２０ａの振動が接触を通じて直接非振動用具に伝わり１つ目の経路に比べて振動装置２０ａの振動が概ね維持されたまま非振動用具に伝達される。従って、１つ目の経路に比べて２つ目の経路の方が効率よく振動装置から非振動用具へ振動を伝達できる。
振動効率は水平部３０ａを構成する装着部３０ａの素材にも依存する。柔軟性があるほど振動伝達の効率が低くなる。
尚、１つ目の振動経路においてハンドバイブレーター１０ａの振動は手の甲の中でも指の上から手に振動が伝わるため指先の振動の力は強く、特許文献４のように手のひらの上側の手の甲に振動装置のあるよりも指先の振動は強い（同じ振動力の場合）。
【００２９】
（ハンドバイブレーターの第２実施形態）
図３で示すとおり本発明であるハンドバイブレーター１０ｂは大きく２つの部分で構成されている。１つは振動装置２０ｂでありもう１つは装着部３０ｂである。振動装置２０ｂは内部に振動モーターによる振動機構を有しており、電源を入れると小刻みな振動を発生する。装着部３０ｂは振動装置２０ｂの下部に配置されている。装着部３０ｂは振動装置２０ｂの下部から下方に伸びる軸部３１ｂと軸部３１ｂの更に下部に位置する球体３２ｂでできている。
ハンドバイブレーター１０ｂの手への装着を表す。隣接する２本の指（例えば人差し指と中指）の第２関節と第３関節の間で軸部３１ｂを挟み込むと、球体３２ｂの上側の面が指の下側（腹側）に接する状態になる。指の上部に位置する振動装置２０ｂ／指の横側に位置する軸部３１ｂ／指の下側に位置する球体３２ｂが隣接する２本の指それぞれの３方向を囲み密着することでハンドバイブレーター１０ｂは手にしっかり装着され指に力を入れなくとも落ちることが無い。
尚、球体３２ｂは完全な球体でなくても良く、軸部３１ｂの下方に繋がっており軸部３１ｂに接する指の下側を支える形状であれば良い。
【００３０】
（ハンドバイブレーター用連結具の第１実施形態）
図４に示す本発明であるハンドバイブレーター用連結具５０aは大きく２つの部分で構成されている。１つはバイブレーター支持部４５ａであり、もう１つは装着部４０ａである。更に装着部４０aはバイブレーター支持部４５ａから連続しており、バイブレーター支持部４５ａの下部より下方に延びる軸部４１ａと左右に延びる水平部４２ａで構成されている。バイブレーター支持部４５ａは内部に空間を有しており使用するバイブレーター２５を挟持することのできるサイズである。小型バイブレーターの一般的な形状である円柱状のバイブレーターを支持すべくバイブレーター支持部４５ａは円筒形状をしている。
図５（Ａ）（Ｂ）はハンドバイブレーター用連結具５０aにバイブレーター２５を取付ける状態を表している。ハンドバイブレーター用連結具５０aは可撓性を有しておりバイブレーター支持部４５ａの下方にある軸部４１ａを開きバイブレーター２５に被せる。ハンドバイブレーター用連結具５０aの形状復元力によりバイブレーター２５を挟み込みバイブレーター支持部４５ａの内側に支持する。バイブレーター２５をハンドバイブレーター用連結具５０aに連結することによりハンドバイブレーターを構成する。
ハンドバイブレーター用連結具５０aを用いたハンドバイブレーターの手への装着方法は図２と同様である。隣接する２本の指の第２関節と第３関節の間で軸部４１ａを挟み込むとともに水平部４２ａが指の下側を支えており、指の上部に位置するバイブレーター支持部４５ａの中ほどあたりの外周／指の間に位置する軸部４１ａ／指の下側に位置する水平部４２ａにより隣接する２本の指の少なくとも少なくとも３方向を囲み密着することでハンドバイブレーターは手にしっかり装着され指に力を入れなくとも落ちることが無い。例えば、ハンドバイブレーター用連結具５０aとバイブレーター２５で構成したハンドバイブレーターを手に装着した状態で腕から指先まで脱力して指先を地面方向に伸ばした状態であっても前記ハンドバイブレーターは手から落ちることは無い。
尚、バイブレーター支持部４５ａは使用するバイブレーター２５の形状に依存するために円筒形状に限らず、使用するバイブレーター２５の形状にあわせて挟持できる形状であれば良い。
また、バイブレーター１０ａのスイッチがバイブレーター支持部４５ａに隠れることを防ぐため、バイブレーター支持部４５ａとスイッチが重なる位置に孔を設けてもよい。
【００３１】
（ハンドバイブレーター用連結具の第２実施形態・第３実施形態）
図６に示す本発明であるハンドバイブレーター用連結具５０ｂは大きく２つの部分（バイブレーター支持部４５ｂおよび装着部４０ｂで構成されている。更に装着部４０ｂは軸部４１ｂおよび水平部４２ｂで構成されている。
可撓性ある素材で出来ているバイブレーター支持部４５ｂは内部に空間を有しており使用するバイブレーター２５を挟んで支持する。小型バイブレーターの一般的な形状である円柱状のバイブレーターを支持すべくバイブレーター支持部４５ｂは円筒形状をしている。バイブレーター支持部４５ｂの一部に切れこみがありこの切れこみを広げてバイブレーター２５を空間に入れ、バイブレーター支持部４５ｂの形状復元力により、バイブレーター２５を挟持する。
図７はハンドバイブレーター用連結具５０ｂとバイブレーター２５で構成したハンドバイブレーターを使用している状態を表す図である。図２で表した機構と同様であり、隣接する２本の指の第２関節と第３関節の間で軸部４１ｂを挟み込むとともに水平部４２ｂで指の下側を支えており、指の上部に位置するバイブレーター支持部４５ｂの外側下部で隣接する２本の指の３方向を囲み密着することでハンドバイブレーターは手に装着され指に力を入れなくとも落ちることが無い。図７では、ハンドバイブレーターにより発生する指先の振動を指先が接触する人体に伝えてマッサージを行い、血行を良くしたり刺激を与えている様子を表している。
図５に示すハンドバイブレーター用連結具５０ａはバイブレーター２５を挟持する方向が指と並行する方向になっている。図６に示すハンドバイブレーター用連結具５０ｂはバイブレーター２５を挟持する方向が指と直行する方向になっているが、バイブレーター２５を挟持する方向を変化させても良い。図９に示すとおりハンドバイブレーター用連結具５０ｃはバイブレーター２５挟持する方向が指と並行するようにできている。バイブレーター２５を挟持する方向について、別の方法として軸部とバイブレーター支持部の連結部位が回転してバイブレーター２５の方向を手の甲側で自在に変更できるようにしても良い。
【００３２】
（ハンドバイブレーター用連結具の第４実施形態）
図１０に示す本発明であるハンドバイブレーター用連結具５０ｄは大きく２つの部分、バイブレーター支持部４５ｄおよび装着部４０ｄで構成されている。
可撓性ある素材で出来ているバイブレーター支持部４５ｄは内部に空間を有しており使用するバイブレーター２５を挟んで支持する。小型バイブレーターの一般的な形状である円柱状のバイブレーター２５を支持すべくバイブレーター支持部４５ｄは円筒形状をしている。バイブレーター支持部４５ｄの一部に切れこみがありこの切れこみを広げてバイブレーター２５を空間に入れ、バイブレーター支持部４５ｄの形状復元力により、バイブレーター２５を挟持する。
装着部４０ｄはベルト形状をしている。バイブレーター支持部４５ｄの下部と連続して繋がっているベルト４６ｄはベルト４６ｄそれぞれの端側に孔４７ｄとバックル４８ｄが設けられている。ハンドバイブレーター用連結具５０ｄにバイブレーター２５を取り付けてハンドバイブレーターを構成する。
ベルト４６ｄに第二指乃至第五指を通して第３関節より腕側の手に位置した状態で締め付け具合を調整しながらハンドバイブレーターを手に固定する。このとき、バイブレーター支持部４５ｄは手の甲側に位置する。図１０においてベルトの位置調整の方法はバックルと孔で行っているが、面ファスナー等の方法を用いても良い。
尚、バイブレーター支持部でバイブレーター２５を支持する方法は可撓性素材による挟持に限らずベルトによる支持する方法、ゴム材により挟持する方法、バイブレーターとバイブレーター支持部の間で嵌めこみの構造にして支持する方法もある。
但し、ハンドバイブレーター用連結具５０ｄを用いたハンドバイブレーターの着脱に関してはベルトの調整が発生するために少し時間がかかる。
【００３３】
（振動伝達２）
［００２８］で記載のごとく、本発明であるハンドバイブレーター用連結具を用いたハンドバイブレーターについても振動の伝達は同様であり、２つの振動経路がある。
１つ目の振動経路は振動装置２０ｂの振動をハンドバイブレーター用連結具から手に伝達され、その手から非振動用具に振動が伝達する振動経路の場合、柔軟性に富んだ手への振動の伝達は振動源の振動を手の柔軟性が吸収してしまい、振動源の振動が弱まった状態での伝達になる。
２つ目の振動経路は振動装置２０ｂと連結しているハンドバイブレーター用連結具に接触している非振動用具に振動が伝達する振動経路であり、この場合振動源とハンドバイブレーター用連結具は繋がっているために振動の損失が少なく、ハンドバイブレーター用連結具と非振動用具は接触しているため、損失が少ない状態でその振動が接触を通じて非振動用具に伝わる。
従って、１つ目の振動経路より２つ目振動経路の方がより振動を強く非振動用具に伝達することができ、ハンドバイブレーター用連結具が可撓性を持ちつつ硬さを有する素材でできており手のひら側にバイブレーター用連結具の一部を有することは２つ目の振動経路を可能することができ非振動用具を使用する際の効果が高い。
尚、１つ目の振動経路においてハンドバイブレーター用連結具５０ａ・ハンドバイブレーター用連結具５０ｂ・ハンドバイブレーター用連結具５０ｃで構成されたハンドバイブレーターの振動は手の甲の中でも指の上から手に振動が伝わるため指先の振動の力は強く、特許文献４のように手のひらの上側の手の甲に振動装置のあるよりも指先の振動は強い（同じ振動力の場合）。
【実施例１】
【００３４】
（ハンドバイブレーターの第１実施形態）
図１および図８に記載したハンドバイブレーター１０ａについて、振動装置１０ａは直径２５ｍｍ・長さ１０ｃｍの円筒形状で上部にスイッチがある。振動装置の概ね下部中央から約１５ｍｍの軸部３２ａを経て左右に２５ｍｍの水平部を有している。軸部３２ａおよび水平部３２ａの幅は１５ｍｍとした。振動装置１０ａを手の甲側にした状態で軸部３２ａを人差し指と中指の第二関節と第三関節の間まで入れ込み装着した。脱力した状態で指先を地面方向に向けてもハンドバイブレーター１０ａは手から落ちることは無かった。
図２に示したとおりハンドバイブレーター１０ａを手に装着して、振動装置２０ａの電源を入れて非振動体として爪やすり９０をその手に持って爪に軽く爪やすり９０を触れるようにしてゆっくりと爪の表面をなぞった。手を何度も往復運動することなく楽に爪を磨くことができた。
また、ハンドバイブレーター１０ａの手への着脱は１秒あれば可能であった。また、塗れた布で拭くことで前記ハンドバイブレーターは５秒もかからず衛生を保つことができた。
【００３５】
（ハンドバイブレーター用連結具の第１実施形態）
図５に記載したハンドバイブレーター用連結具５０ａについて、ハンドバイブレーター用連結具５０ａは可撓性を有するポリカーボネートを素材としてできている。バイブレーター支持部４５ａに直径２５ｍｍ・長さ１２ｃｍの円筒形状で上部にスイッチのあるバイブレーター２５を取り付け、ハンドバイブレーターを構成した。バイブレーター支持部４５ａの内径は２４ｍｍであり、直径２５ｍｍのバイブレーター２５は可撓性のある素材にて挟持される。２つの軸部４１ａの間にわずかな隙間があり、図８と同様に２つの軸部４１ａを人差し指と中指の第二関節と第三関節の間まで入れ込みハンドバイブレーターを装着したところ２本の指が軸部４１ａを挟みこむことによりバイブレーター２５はより強固にバイブレーター支持部４５ａに挟持された。
ハンドバイブレーター用連結具５０ａとバイブレーター２５で構成したハンドバイブレーターを手に装着し、非振動体として歯ブラシを手に持ち、バイブレーター２５の電源を入れブラシ部で歯をゆっくりとなぞるようにして磨いたところ、手を何度も往復することなく電動歯ブラシのように楽に歯を磨くことができた。また、人体のつぼを指で押すと指が振動しているため心地よい加圧振動刺激が得られた。
また、軸部４１ａを中指と薬指の間に挟みこんでも同様の効果が得られた。また、軸部４１ａを薬指と小指の間に挟みこんでも同様の効果が得られた。
図８（Ａ）に示した事例と同様に爪やすり９０が水平部３２ａと接触しない状態でバイブレーター２５の電源を入れた場合と図８（Ｂ）に示した事例と同様に爪やすり９０が水平部３２ａと接触した状態でバイブレーター２５の電源を入れた場合を比較すると、爪を磨く時間の平均は前者が約８秒で後者が約５秒であり、後者の効率が良かった。
また、前記ハンドバイブレーターの手への着脱は１秒あれば可能であった。また、塗れた布で拭くことで前記ハンドバイブレーターは５秒もかからず衛生を保つことができた。
また、ハンドバイブレーター用連結具５０ａは可撓性のある素材を曲げるだけで作れる形状であり、一体成型するにしても曲げ加工で作るにしても極めて簡素にかつ低コストで作ることができた。
【産業上の利用可能性】
【００３６】
本発明であるハンドバイブレーター及びハンドバイブレーター用連結具を用いたハンドバイブレーターは、手を振動させるものであり、振動する手を介して歯ブラシやヤスリやスポンジなどの摺洗具を振動させることによりそれぞれの機能を容易にはたすことができる。また、構造が簡単であるために低コストで市場に供給することができる。特に、ハンドバイブレーター用連結具は構造が極めて簡素であり低コストで製造することができるとともに通常市場に流通しているバイブレーター（振動装置）を用いることができるため、更に低コストで市場に供給することができる。
【００３７】
本発明であるハンドバイブレーター及びハンドバイブレーター用連結具を用いたハンドバイブレーターは、手を振動させるものであるから手の振動そのものを利用したり振動する手で持った非振動用具を振動させて利用するものである。前述の歯ブラシによる歯磨きや爪やすりによる爪処理や頭皮用ブラシによる頭皮の洗浄や摺洗用スポンジを用いて食器や車を洗ったり、工業用ヤスリによる研磨作業など様々な用途に使用することができる。また、手や指先の振動を直接もちいることもできる。図７に示すとおり人体への使用としてマッサージやつぼ押し、指先による頭皮の洗浄や性感帯への刺激にも使用できる。
上記のとおり１つの用具で多種多様の使用が可能であることから産業上の利用価値は高い。尚、水を使う環境での使用の場合、振動装置／バイブレーターに防水加工がなされていることで実現できる。
【符号の説明】
【００３８】
１０ａ  ハンドバイブレーター
１０ｂ  ハンドバイブレーター
２０ａ  振動装置
２０ｂ  振動装置
２５    バイブレーター
３０ａ  装着部
３０ｂ  装着部
３１ａ  軸部
３１ｂ  軸部
３２ａ  水平部
３２ｂ  球体
４０ａ  装着部
４０ｂ  装着部
４０ｃ  装着部
４０ｄ  装着部
４１ａ  軸部
４１ｂ  軸部
４１ｃ  軸部
４２ａ  水平部
４２ｂ  水平部
４２ｃ  水平部
４５ａ  バイブレーター支持部
４５ｂ  バイブレーター支持部
４５ｃ  バイブレーター支持部
４５ｄ  バイブレーター支持部
４６ｄ  ベルト
４７ｄ  孔
４８ｄ  バックル
５０ａ  ハンドバイブレーター用連結具
５０ｂ  ハンドバイブレーター用連結具
５０ｃ  ハンドバイブレーター用連結具
５０ｄ  ハンドバイブレーター用連結具
９０    爪やすり
９１    歯ブラシ
【図１】
2015054171.tif 000003
【図２】
2015054171.tif 000004
【図３】
2015054171.tif 000005
【図４】
2015054171.tif 000006
【図５】
2015054171.tif 000007
【図６】
2015054171.tif 000008
【図７】
2015054171.tif 000009
【図８】
2015054171.tif 000010
【図９】
2015054171.tif 000011
【図１０】
2015054171.tif 000012